(57)【要約】【課題】本発明は、各種年金の受取額や受取年齢などをわかりやすく算出して表示することができる年金算出システムの提供を課題とする。【解決手段】相談者または配偶者の生年月日などの各種データを入力し、その入力された生年月日などの各種データに基づいて、年金の報酬比例分および定額部分、共済定額部分および報酬比例分、職域加算額、加給年金額、老齢厚生年金、経過的加算額、老齢基礎年金、共済経過的加算額、退職共済年金などの各種年金額を算出したあと、各種年金額を表形式に表示する。【選択図】図１
2008090382.tif 000002
【特許請求の範囲】
【請求項１】
相談者または配偶者の生年月日などの各種データを入力するデータ入力手段と、
該データ入力手段により入力された生年月日などの各種データに基づいて、年金の報酬比例分および定額部分、共済定額部分および報酬比例分、職域加算額、加給年金額、老齢厚生年金、経過的加算額、老齢基礎年金、共済経過的加算額、退職共済年金などの各種年金額を算出する年金算出手段と、
該年金算出手段により算出された各種年金額を図形式で表示する年金表示手段とを備えることを特徴とする年金設計システム。
【請求項２】
前記年金表示手段は、年金の報酬比例分および定額部分、共済定額部分および報酬比例分、職域加算額、加給年金額などを左欄において順に表形式で表示するとともに、老齢厚生年金、経過的加算額、老齢基礎年金、共済経過的加算額、退職共済年金などを右欄において順に表形式で表示し、中欄において各年金を受給できる年齢を色分けして図形式で表示するものとなされている請求項１に記載の年金設計システム。
【請求項３】
各年齢幅ごとの生活費月額を入力する生活費月額入力手段と、
前記年金算出手段により算出された各種年金額を各年齢ごとに合算して算出する年金合算手段と、
該年金合算手段により算出された各年齢ごとの合算年金額を、年齢を横軸とした棒グラフで表示するとともに、前記生活費月額入力手段により入力された生活費月額を折れ線グラフで表示するグラフ表示手段とを備える請求項１または請求項２の年金設計システム。
【請求項４】
ある年齢時点における貯金残高を入力する貯金残高入力手段と、
前記生活費月額、年金合計額、および貯金残高に基づいてある年齢時点における貯蓄残高を算出する貯蓄残高算出手段と、
該貯蓄残高算出手段により算出された貯蓄残高を表示するとともに、貯蓄残高がマイナスの場合には不足する生活資金の額を表示する貯蓄残高表示手段とを備える請求項１ないし請求項３のいずれかに記載の年金設計システム。
【請求項５】
相談者または配偶者の年金の一部繰り上げまたは全部繰り上げの年齢を入力する繰上年齢入力手段と、
該繰上年齢入力手段により入力された年齢に基づいて、横軸を年齢および縦軸を年金受取総額とした線グラフで表示するとともに、繰り上げしなかった場合の基本スタイルの年金受取総額に対する分岐点を縦線で表示する分岐点表示手段とを備える年金設計システム。
【請求項６】
相談者の死亡年齢を入力する入力手段と、
該入力手段に基づいて配偶者の遺族年金を算出する遺族年金算出手段と、
該算出手段により算出された遺族年金額を受給年齢とともに表示する遺族年金表示手段とを備える年金設計システム。
【請求項７】
６０歳到達年齢時の給与額、６０歳から６５歳までの設定給与額、年金額を入力する年金入力手段と、
該入力手段により入力された各種額に基づいて月額合計を、設定給与額を横軸とした折れ線グラフで表示し、設定給与額を縦線で表示するグラフ表示手段とを備える年金設計システム。
【請求項８】
コンピュータを、相談者または配偶者の生年月日などの各種データを入力するデータ入力手段、
該データ入力手段により入力された生年月日などの各種データに基づいて、年金の報酬比例分および定額部分、共済定額部分および報酬比例分、職域加算額、加給年金額、老齢厚生年金、経過的加算額、老齢基礎年金、共済経過的加算額、退職共済年金などの各種年金額を算出する年金算出手段、
該年金算出手段により算出された各種年金額を表形式に表示する年金表示手段として機能させるプログラム。
【請求項９】
コンピュータを、相談者または配偶者の生年月日などの各種データを入力するデータ入力手段、
該データ入力手段により入力された生年月日などの各種データに基づいて、年金の報酬比例分および定額部分、共済定額部分および報酬比例分、職域加算額、加給年金額、老齢厚生年金、経過的加算額、老齢基礎年金、共済経過的加算額、退職共済年金などの各種年金額を算出する年金算出手段、
該年金算出手段により算出された各種年金額を表形式に表示する年金表示手段として機能させるプログラムが記録された記録媒体。
【発明の詳細な説明】
【技術分野】
【０００１】
本発明は、各種年金を算出して表示し、年金相談を効率的に供するための年金算出システムに関する。
【背景技術】
【０００２】
近年、国の財政問題、高齢化社会などとも相俟って年金の問題が注目されている。この年金は、自営業者などが加入する国民年金、公務員以外の一般企業の給与所得者が加入する厚生年金、公的年金加入者が死亡した場合に、その遺族に支払われる遺族年金など、その年金の種類は多様である。また、各年金の中でも、例えば厚生年金や厚生基礎年金などと分かれていたり、生年月日や掛年数によっても受け取れる年金の種類や額が異なったりするなどして、自分が年金をいつからいくら受け取られるかを把握することは困難であった。もとより、国、地方公共団体あるいは起業において年金について相談を受けることができるが、職員も相談者の生年月日などから逐一年金を算出しなければならず非常に煩雑であった。
【０００３】
そこで、年金を算出するシステムとして種々のものが提案されている。例えば、事務代行システムの管理コンピュータは、スケジュール設定ルール記憶部に記録された設定ルールに基づいて生成する。各期限日に各データを受領していない場合には、管理コンピュータは督促通知を企業システムに送信する。報告データを受領した場合、各チェック処理を実行する。個人別属性データ送信期限日には、個人別属性データをレコードキーパシステムに送信する。口座振替データ伝送期限日には、企業別掛金データを作成し、振替依頼を金融機関システムに送信する。個人別掛金データ送信期限日には、個人別掛金データをレコードキーパシステムに送信する。確定日には、確定報告データをレコードキーパシステム３０に送信するシステムが知られている（特許文献１参照）。
【０００４】
また、他のシステムとしては、多期間資産配分計算部は、多期間最適化モデルを用いて複数の予測時点の各々における資産配分を求め、複数の予測時点は、現在に近い予測時点の密度よりも、現在から遠い予測時点の密度が低くなるように設定されており、乱数から作られる多数のシナリオが用いられるものが知られている。基本ポートフォリオ生成部４は、多期間資産配分から、各資産の配分変動幅、平均期待収益率、平均リスクをポートフォリオ管理上の有効パラメータとしてもつ多期間基本ポートフォリオを求める。多期間最適化モデルは、現在に近い未来の期待富と現在から遠い未来の期待富の重み付け加算に対応しており、重み付けの調整が可能である。
【０００５】
また、多機能端末がネットワークを介してホストコンピュータに接続し、年金 被保険者ファイル１３等各種ファイルの検索結果、シュミレーション結果を元に利用者の入出金処理をし、利用者への情報を提供するシステムが知られている（特許文献３参照）
【０００６】
【特許文献１】特開２００５−１５７８８６号公報
【特許文献２】特開２００３−３４５９８１号公報
【特許文献３】特開平７−２１２７０号公報
【発明の開示】
【発明が解決しようとする課題】
【０００７】
しかしながら、いずれのシステムにおいても、各種年金の受取額や受取年齢などをわかりやすく算出して表示するものではなく、国、地方公共団体あるいは企業において相談者に対して十分に説明することが困難であるという問題があった。
【０００８】
本発明は、上述の問題に鑑みてなされたものであって、各種年金の受取額や受取年齢などをわかりやすく表示することができる年金算出システムの提供を課題とする。
【課題を解決するための手段】
【０００９】
本発明は、上記課題を解決するために、相談者または配偶者の生年月日などの各種データを入力するデータ入力手段と、該データ入力手段により入力された生年月日などの各種データに基づいて、年金の報酬比例分および定額部分、共済定額部分および報酬比例分、職域加算額、加給年金額、老齢厚生年金、経過的加算額、老齢基礎年金、共済経過的加算額、退職共済年金などの各種年金額を算出する年金算出手段と、該年金算出手段により算出された各種年金額を図形式で表示する年金表示手段とを備えることを特徴とする。
【００１０】
これによれば、年金の報酬比例分および定額部分、共済定額部分および報酬比例分、職域加算額、加給年金額、老齢厚生年金、経過的加算額、老齢基礎年金、共済経過的加算額、退職共済年金などの各種年金額などの各種年金の受取額や受取年齢などが図形式となされるので、わかりやすく表示することができる。
【００１１】
また、前記年金表示手段は、年金の報酬比例分および定額部分、共済定額部分および報酬比例分、職域加算額、加給年金額などを左欄において順に表形式で表示するとともに、老齢厚生年金、経過的加算額、老齢基礎年金、共済経過的加算額、退職共済年金などを右欄において順に表形式で表示し、中欄において各年金を受給できる年齢を色分けして図形式で表示するものとなされているのが好ましい。これによれば、各種年金の受取額や受取年齢などをより一層わかりやすく表示することができる。
【００１２】
また、各年齢幅ごとの生活費月額を入力する生活費月額入力手段と、前記年金算出手段により算出された各種年金額を各年齢ごとに合算して算出する年金合算手段と、該年金合算手段により算出された各年齢ごとの合算年金額を、年齢を横軸とした棒グラフで表示するとともに、前記生活費月額入力手段により入力された生活費月額を折れ線グラフで表示するグラフ表示手段とを備えるのが好ましい。これによれば年齢ごとに受け取ることができる年金額の推移と生活費月額を同時に視覚的に把握することができる。
【００１３】
また、ある年齢時点における貯金残高を入力する貯金残高入力手段と、前記生活費月額、年金合計額、および貯金残高に基づいてある年齢時点における貯蓄残高を算出する貯蓄残高算出手段と、該貯蓄残高算出手段により算出された貯蓄残高を表示するとともに、貯蓄残高がマイナスの場合には不足する生活資金の額を表示する貯蓄残高表示手段とを備えるのが好ましい。これによれば、ある年齢時点における貯蓄残高を把握し得るので、老後の生活資金設計を容易に行うことができる。
【００１４】
また、相談者または配偶者の年金の一部繰り上げまたは全部繰り上げの年齢を入力する繰上年齢入力手段と、該繰上年齢入力手段により入力された年齢に基づいて、横軸を年齢および縦軸を年金受取総額とした線グラフで表示するとともに、繰り上げしなかった場合の基本スタイルの年金受取総額に対する分岐点を縦線で表示する分岐点表示手段とを備えるのが好ましい。これによれば、相談者または配偶者の年金の一部繰り上げまたは全部繰り上げを行った場合において、繰り上げしなかった場合の基本スタイルの年金受取総額に対する分岐点を視覚的に把握することができる。
【００１５】
また、相談者の死亡年齢を入力する入力手段と、該入力手段に基づいて配偶者の遺族年金を算出する遺族年金算出手段と、該算出手段により算出された遺族年金額を受給年齢とともに表示する遺族年金表示手段とを備えるのが好ましい。これによれば、相談者が死亡した場合における配偶者の遺族年金を視覚的に把握することができる。
【００１６】
また、６０歳到達年齢時の給与額、６０歳から６５歳までの設定給与額、年金額を入力する年金入力手段と、該入力手段により入力された各種額に基づいて月額合計を、設定給与額を横軸とした折れ線グラフで表示し、設定給与額を縦線で表示するグラフ表示手段とを備えるのが好ましい。６０歳から６５歳までにおける有利な設定給与額を視覚的に把握することができ、６０歳から働いた場合の総収入を容易にシュミレーションすることが可能となる。
【発明の効果】
【００１７】
本発明によれば、年金の報酬比例分および定額部分、共済定額部分および報酬比例分、職域加算額、加給年金額、老齢厚生年金、経過的加算額、老齢基礎年金、共済経過的加算額、退職共済年金などの各種年金額などの各種年金の受取額や受取年齢などをわかりやすく表示することができ、ひいては老後の生活設計を簡単かつ確実に行うことができる。
【発明を実施するための最良の形態】
【００１８】
次に本発明の一実施形態にについて説明する。
【００１９】
図１は、本実施形態に係る年金設計システムの構成概略図である。
【００２０】
この年金設計システムは、相談者または配偶者の生年月日などの各種データを入力するデータ入力部（１）と、各種年金額を算出する年金算出部（２）と、各種年金額を図形式で表示する年金表示部（３）とを備える。なお、（１０）は本システムを統括的に制御する制御部である。
【００２１】
前記データ入力部（１）は、相談者または配偶者の氏名、受付日、生年月日、年齢、性別、提出日、受給資格、加入期間などを入力するものである。特に生年月日については、各種年金額を算出する上で重要なデータである。
【００２２】
前記年金算出部（２）は、データ入力部（１）により入力された生年月日などの各種データに基づいて、年金の報酬比例分および定額部分、共済定額部分および報酬比例分、職域加算額、加給年金額、老齢厚生年金、経過的加算額、老齢基礎年金、共済経過的加算額、退職共済年金などの各種年金額を算出するものである。なお、本実施形態では、上述の年金額を算出するものとしたが、制度に応じてその他の年金額を算出してもよいし、あるいはその一部の年金額のみを算出するものとしてもよい。
【００２３】
前記年金表示部（３）は、図２に示すように、年金の報酬比例分および定額部分、共済定額部分および報酬比例分、職域加算額、加給年金額などを左欄において順に表形式で表示するとともに、老齢厚生年金、経過的加算額、老齢基礎年金、共済経過的加算額、退職共済年金などを右欄において順に表形式で表示し、中欄において各年金を受給できる年齢を色分けして図形式で表示するものである。
【００２４】
例えば、相談者が５８歳でデータを入力した場合、左欄において報酬比例分（45,700円）、定額分（33,017円）、共済定額部分（8,254円）、共済報酬比例分（11,400円）、職域加算額（1,145円）、加給年金額（33,000円）が算出されて表形式で表示される。また、右欄において、老齢厚生年金（45,700円）、経過的加算額（13円）、老齢基礎年金（41,258円）、共済経過的加算（3円）、退職共済年金（11400円）、職域加算額（1,145円）が算出されて表形式で表示される。そして、中欄において、報酬比例分は６０〜６４歳、老齢厚生年金は６５際以降というように、各年金を受給できる年齢を色分けして表示される。
【００２５】
これによれば、年金の報酬比例分および定額部分、共済定額部分および報酬比例分、職域加算額、加給年金額、老齢厚生年金、経過的加算額、老齢基礎年金、共済経過的加算額、退職共済年金などの各種年金額などの各種年金の受取額や受取年齢などが図形式となされるので、わかりやすく表示することができる。
【００２６】
また、前記年金設計システムは、各年齢幅ごとの生活費月額を入力する生活費月額入力部（４）と、各種年金額を各年齢ごとに合算して算出する年金合算部（５）と、合算年金額や生活費月額をグラフで表示するグラフ表示部（６）とを備える。
【００２７】
前記生活費月額入力部（４）は、図２に示すように、５９歳以前、６０〜６４歳、６５〜６９歳、７０歳以降の各年齢幅ごとの生活費月額を入力するものである。なお、本実施形態では、５歳ごとの年齢幅としたが、その他の年齢幅としてもよい。
【００２８】
前記年金合算部（５）は、前記年金算出部（２）により算出された各種年金額を各年齢ごとに合算して算出するものである。相談者と配偶者の両者が存在する場合には、相談者の年金額に配偶者の年金額を加算するようになっている。
【００２９】
前記グラフ表示部（６）は、図２に示すように、該年金合算部（５）により算出された各年齢ごとの合算年金額を、年齢を横軸とした棒グラフで表示する。相談者と配偶者の両者が存在する場合には、相談者と配偶者の年金額がわかるように色分けして表示されるのがよい。また、このグラフ表示部（６）は、前記生活費月額入力部（４）により入力された生活費月額を折れ線グラフで表示する。
【００３０】
これによれば年齢ごとに受け取ることができる年金額の推移と生活費月額を同時に視覚的に把握することができる。
【００３１】
さらに、前記年金設計システムは、ある年齢時点における貯金残高を入力する貯金残高入力部（７）と、ある年齢時点における貯蓄残高を算出する貯蓄残高算出部（８）と、貯蓄残高や生活資金の不足分を表示する貯蓄残高表示部（９）とを備えてなる。
【００３２】
前記貯金残高入力部（７）は、図２に示すように、例えば６０歳時点の貯金残高（本実施形態では１７００万円）を入力するものである。
【００３３】
前記貯蓄残高算出部（８）は、前記生活費月額、年金合計額、および貯金残高に基づいて例えば８０歳時点における貯蓄残高を算出するものである。
【００３４】
前記貯蓄残高表示部（９）は、貯蓄残高算出部（８）により算出された貯蓄残高を表示するとともに、貯蓄残高がマイナスの場合には不足する生活資金の額を表示するものである。本実施形態では、貯蓄残高が０円であり、１１２３万円の生活資金が不足しているので、「あなたが８０歳終了時でのご夫婦の貯蓄残高は０で、１１２３万円程の生活資金が不足します」と表示される。
【００３５】
これによれば、ある年齢時点における貯蓄残高を把握し得るので、老後の生活資金設計を容易に行うことができる。
【００３６】
なお、本実施形態では年金生活設計の基本システムについて説明したが、その他のシステムを付加するものとしてもよい。
【００３７】
例えば、図３に示すように、相談者または配偶者の年金の一部繰り上げまたは全部繰り上げの年齢を入力するものとし、該入力された年齢に基づいて、横軸を年齢および縦軸を年金受取総額とした線グラフで表示するとともに、繰り上げしなかった場合の基本スタイルの年金受取総額に対する分岐点を縦線で表示するシステムを付加してもよい。
【００３８】
また、図４に示すように、相談者の死亡年齢を入力するものとし、配偶者の遺族年金を算出し、遺族年金額を受給年齢とともに表示するシステムを付加してもよい。
【００３９】
また、図５に示すように、６０歳到達年齢時の給与額、６０歳から６５歳までの設定給与額、年金額を入力するものとし、該入力された各種額に基づいて月額合計を、設定給与額を横軸とした折れ線グラフで表示し、設定給与額を縦線で表示するシステムを付加してもよい。
【図面の簡単な説明】
【００４０】
【図１】本実施形態に係る年金設計システムの構成概略図である。
【図２】年金生活設計の画面の一例を示す図である。
【図３】夫婦の年金スタイルの画面の一例を示す図である。
【図４】遺族年金の画面の一例を示す図である。
【図５】６０歳台前半の在職総手取額の一例を示す図である。
【符号の説明】
【００４１】
１・・・データ入力部
２・・・年金算出部
３・・・年金表示部
４・・・生活費月額入力部
５・・・年金合算部
６・・・グラフ表示部
７・・・貯金残高入力部
８・・・貯蓄残高算出部
９・・・貯蓄残高表示部
【図１】
2008090382.tif 000003
【図２】
2008090382.tif 000004
【図３】
2008090382.tif 000005
【図４】
2008090382.tif 000006
【図５】
2008090382.tif 000007